【手続補正書】
【提出日】平成16年2月25日(2004.2.25)
【手続補正１】
【補正対象書類名】明細書
【補正対象項目名】特許請求の範囲
【補正方法】変更
【補正の内容】
【特許請求の範囲】
【請求項１】
複数台の物理的な記憶装置に亘って少なくとも１つの論理的なボリュームを設定する方法において、記憶容量と要求平均性能情報を指定するボリューム作成要求を受け付けるステップと、複数台の前記記憶装置に亘って要求された前記記憶容量を満足する空き領域があるか否か判定するステップと、前記空き領域が存在する場合に作成要求されたボリュームと前記記憶装置を共用する既存ボリュームについての記憶手段上の各要求平均性能情報を参照して前記既存ボリュームに前記作成要求されたボリュームを加えた全ボリュームの各々がその要求平均性能を満足するか否か判定するステップと、前記全ボリュームが各要求平均性能を満足する場合に、前記作成要求されたボリュームを設定するステップとを有することを特徴とするボリューム管理方法。
【請求項２】
前記全ボリュームが同一のパリティグループに属するボリュームであり、前記作成要求されたボリュームは、異なるパリティグループからのボリューム移動要求であることを特徴とする請求項１記載のボリューム管理方法。
【請求項３】
指定された前記記憶容量と指定された前記要求平均性能のうち少なくとも一方の条件を満足する空き領域が存在しない場合に、満足しない条件について所定割合の削減又は増加を加えた条件について該当する前記判定するステップを再実行することを特徴とする請求項１記載のボリューム管理方法。
【請求項４】
複数台の物理的な記憶装置に亘って少なくとも１つの論理的なボリュームが設定されるストレージ中に新規ボリュームのための空き領域を探索する方法であって、要求平均性能情報を指定する空き領域の探索要求を受け付けるステップと、各空き領域と前記記憶装置を共用する既存ボリュームについての記憶手段上の各要求平均性能情報を参照して前記既存ボリュームに前記新規ボリュームを加えるとした場合に全ボリュームの各々がその要求平均性能を満足するか否か判定するステップと、前記の判定条件を満足するような空き領域についての情報を表示するステップとを有することを特徴とするボリューム管理方法。
【請求項５】
複数台の物理的な記憶装置に亘って少なくとも１つの論理的なボリュームを設定するボリューム管理装置において、記憶容量と要求平均性能情報を指定するボリューム作成要求を受け付ける手段と、複数台の前記記憶装置に亘って要求された前記記憶容量を満足する空き領域があるか否か判定する手段と、前記空き領域が存在する場合に作成要求されたボリュームと前記記憶装置を共用する既存ボリュームについての記憶手段上の各要求平均性能情報を参照して前記既存ボリュームに前記作成要求されたボリュームを加えた全ボリュームの各々がその要求平均性能を満足するか否か判定する手段と、前記全ボリュームが各要求平均性能を満足する場合に、前記作成要求されたボリュームを設定する手段とを有することを特徴とするボリューム管理装置。
【請求項６】
複数台の物理的な記憶装置に亘って少なくとも１つの論理的なボリュームが設定されるストレージ中に新規ボリュームのための空き領域を探索するボリューム管理装置であって、要求平均性能情報を指定する空き領域の探索要求を受け付ける手段と、各空き領域と前記記憶装置を共用する既存ボリュームについての記憶手段上の各要求平均性能情報を参照して前記既存ボリュームに前記新規ボリュームを加えるとした場合に全ボリュームの各々がその要求平均性能を満足するか否か判定する手段と、前記の判定条件を満足するような空き領域についての情報を表示する手段とを有することを特徴とするボリューム管理装置。
【請求項７】
コンピュータに複数台の物理的な記憶装置に亘って少なくとも１つの論理的なボリュームの設定機能を実現させるためのプログラムにおいて、コンピュータに、記憶容量と要求平均性能情報を指定するボリューム作成要求を受け付ける機能、複数台の前記記憶装置に亘って要求された前記記憶容量を満足する空き領域があるか否か判定する機能、前記空き領域が存在する場合に作成要求されたボリュームと前記記憶装置を共用する既存ボリュームについての記憶手段上の各要求平均性能情報を参照して前記既存ボリュームに前記作成要求されたボリュームを加えた全ボリュームの各々がその要求平均性能を満足するか否か判定する機能、および前記全ボリュームが各要求平均性能を満足する場合に、前記作成要求されたボリュームを設定する機能を実現させるためのプログラム。
【請求項８】
コンピュータに複数台の物理的な記憶装置に亘って少なくとも１つの論理的なボリュームが設定されるストレージ中に新規ボリュームのための空き領域探索機能を実現させるためのプログラムであって、コンピュータに、要求平均性能情報を指定する空き領域の探索要求を受け付ける機能、各空き領域と前記記憶装置を共用する既存ボリュームについての記憶手段上の各要求平均性能情報を参照して前記既存ボリュームに前記新規ボリュームを加えるとした場合に全ボリュームの各々がその要求平均性能を満足するか否か判定する機能、および前記の判定条件を満足するような空き領域についての情報を表示する機能を実現させるためのプログラム。
【請求項９】
複数台の物理的な記憶装置に亘って少なくとも１つの論理的なボリュームを設定するストレージと、前記ストレージの情報にアクセスするクライアント計算機と、前記ストレージ内のボリュームを管理する管理用計算機と、前記ストレージ、前記クライアント計算機及び前記管理用計算機間を接続するネットワークとを有するコンピュータシステムの前記管理用計算機によるボリューム設定方法において、
記憶容量と要求平均性能情報を指定するボリューム作成要求を受け付けるステップと、複数台の前記記憶装置に亘って要求された前記記憶容量を満足する空き領域があるか否か判定するステップと、前記空き領域が存在する場合に作成要求されたボリュームと前記記憶装置を共用する既存ボリュームについての記憶手段上の各要求平均性能情報を参照して前記既存ボリュームに前記作成要求されたボリュームを加えた全ボリュームの各々がその要求平均性能を満足するか否か判定するステップと、前記全ボリュームが各要求平均性能を満足する場合に、前記作成要求されたボリュームを設定するステップとを有することを特徴とするボリューム管理方法。
【請求項１０】
複数台の物理的な記憶装置に亘って少なくとも１つの論理的なボリュームを設定するストレージと、前記ストレージの情報にアクセスするクライアント計算機と、前記ストレージ内のボリュームを管理する管理用計算機と、前記ストレージ、前記クライアント計算機及び前記管理用計算機間を接続するネットワークとを有するコンピュータシステムの前記ストレージ中に新規ボリュームのための空き領域を探索する前記管理用計算機による方法であって、
要求平均性能情報を指定する空き領域の探索要求を受け付けるステップと、各空き領域と前記記憶装置を共用する既存ボリュームについての記憶手段上の各要求平均性能情報を参照して前記既存ボリュームに前記新規ボリュームを加えるとした場合に全ボリュームの各々がその要求平均性能を満足するか否か判定するステップと、前記の判定条件を満足するような空き領域についての情報を表示するステップとを有することを特徴とするボリューム管理方法。
【請求項１１】
少なくとも一つの記憶装置に少なくとも１つの論理的なボリュームを設定する方法において、要求平均性能情報を指定するボリューム作成要求を受け付けるステップと、作成要求されたボリュームと前記記憶装置に既に設定されている既存ボリューム各々の要求平均性能情報を参照し、前記既存ボリュームに前記作成要求されたボリュームを加えたボリューム各々が要求平均性能を満足するか否か判定するステップと、前記ボリューム各々が要求平均性能を満足する場合に、前記作成要求されたボリュームを設定するステップとを有することを特徴とするボリューム管理方法。